(57)【要約】【課題】  拡張カードをコンピュータに導入できる形態で、かつ、装置自体の小型化を図ることができる情報処理装置を提供するものである。【解決手段】  中央演算処理装置を搭載したマザーボード３５と、拡張カード２６を装着する方向を変換する拡張スロット変換器４２と、ハードディスクドライブなどの２次記憶装置３１とを有し、マザーボード３５を設置する面と水平な面が２次記憶装置３１の最も薄い面と一致するように２次記録装置３１を配置し、マザーボード３５を設置する面またはその対面から拡張カード２６を投影した場合、マザーボード３５上に拡張カード２６の面が投影されるように拡張スロット変換器４２をマザーボード３５に設置する。【選択図】  図４
2006301816.tif 000002
【特許請求の範囲】
【請求項１】
中央演算処理装置を搭載したマザーボードと、拡張カードを装着する方向を変換する拡張スロット変換器と、２次記憶装置とを有する情報処理装置であって、
前記マザーボードを設置する面と水平な面が前記２次記憶装置の最も薄い面と一致するように前記２次記録装置を配置し、
前記マザーボードを設置する面またはその対面から前記拡張カードを投影した場合、前記マザーボード上に拡張カードの面が投影されるように前記拡張スロット変換器を前記マザーボードに設置した情報処理装置。
【請求項２】
前記２次記憶装置は、前記マザーボードを設置する面と垂直な面に前記マザーボードと電気的に接続を行うための端子を有する請求項１記載の情報処理装置。
【請求項３】
前記２次記憶装置を支持する支持体をさらに有し、該支持体に前記拡張スロット変換器が保持されている請求項１または２記載の情報処理装置。
【請求項４】
前記中央演算処理装置は、前記拡張スロット変換器の設置場所に対して前記支持体が存在する場所とは反対側に搭載されている請求項３記載の情報処理装置。
【請求項５】
前記２次記憶装置は、前記支持体に対して前記拡張スロット変換器とは反対側に設置した請求項３または４記載の情報処理装置。
【請求項６】
前記支持体は、金属製であり、
前記２次記憶装置は、板金を介して前記支持体に支持されており、
前記板金と支持体の間に、前記マザーボードからのケーブルを通した請求項３乃至５のいずれか１項に記載の情報処理装置。
【発明の詳細な説明】
【技術分野】
【０００１】
本発明は、パーソナルコンピュータあるいは組み込み機器用コントローラとして使用される情報処理装置に関する。
【背景技術】
【０００２】
パーソナルコンピュータやサーバーとして使用される情報処理装置は、デスクトップ型のものであっても、小型・省スペース化が求められている。とくに、組み込み機器用のコントローラとして使用される情報処理装置の場合、他の電子機器に組み込むことによりシステムを構築するので、システム全体を小型化するためにも、情報処理装置自体出来る限り小型のものが望まれている。
特開２００１−１５９９３１公報によると、ケーシング自体を放熱板とし、これにＣＰＵやハードディスクドライブ装置を取り付けることにより、コンピュータの小型化を図っている。
【特許文献１】特開２００１−１５９９３１公報
【発明の開示】
【発明が解決しようとする課題】
【０００３】
特開２００１−１５９９３１公報に記載の発明によれば、ＣＰＵ６、３６およびハードディスクドライブ装置８、３８のレイアウト上、システムが標準では持っていない機能を実現するための拡張カードをコンピュータに導入することは困難であるという問題がある。そこで、本発明は、上記問題を解決し、拡張カードをコンピュータに導入できる形態で、かつ、装置自体の小型化を図ることができる情報処理装置を提供するものである。
【課題を解決するための手段】
【０００４】
上記課題を解決するために、中央演算処理装置を搭載したマザーボードと、拡張カードを装着する方向を変換する拡張スロット変換器と、２次記憶装置とを有し、前記マザーボードを設置する面と水平な面が前記２次記憶装置の最も薄い面と一致するように前記２次記録装置を配置し、前記マザーボードを設置する面またはその対面から前記拡張カードを投影した場合、前記マザーボード上に拡張カードの面が投影されるように前記拡張スロット変換器を前記マザーボードに設置した情報処理装置を提供する。
【発明の効果】
【０００５】
拡張カードをコンピュータに導入できる形態で、かつ、装置自体の小型化を図ることができる。
【発明を実施するための最良の形態】
【０００６】
図１は、本発明の一実施形態である情報処理装置１の外観図である。また、図２は、この情報処理装置１の平面図１Ａ、背面図１Ｂ、左側面図１Ｃ、右側面図１Ｄ、正面図１Ｅを示している。
これらの図において、板金製の上部カバー２と下部カバー２４により情報処理装置１の筐体が構成されている。本実施形態の情報処理装置１のサイズは、幅１９４ｍｍ、高さ７４ｍｍ、奥行き２１４．５ｍｍである。上部カバー２には、筐体内部で発生する熱を逃がすための通気孔３、２３が複数設けられている。なお、この通気孔３、２３は、情報処理装置１内で最も発熱量の大きいＣＰＵの近傍に設けられている。この点は後述する。
情報処理装置１の前面には、可搬型記録媒体であるＣＦ（Compact Flash）カード用スロットの蓋４が設けられている。これは、この装置１にＣＦカードを装着した場合、カードを排出しやすくするためカードが７ｍｍ程度装置１から突出するので、これを保護するためおよび容易にＣＦカードの抜き取りを禁止するためのものである。さらに、ＣＦカードを使用しない場合には、異物の混入を防止できる。
また、電源用コネクタ５、ＬＩＮＥ  ＯＵＴ端子６、ＬＩＮＥ  ＩＮ端子７、ＵＳＢ（Universal Serial Bus）端子８、９、ＬＡＮ（Local Area Network）用コネクタ１０、１１、シリアルコネクタ１３、１４、１５、ディスプレー用アナログＲＢＧ端子１６、キーボード用端子１７、マウス用端子１８、電源スイッチ１９、装置１のリセット用の孔２０、電源用ＬＥＤ２１、ハードディスクドライブ用ＬＥＤ２２すべてが装置１の前面（正面）に配置されている。さらに、ＰＣＩスロット１２も前面にくるような配置としている。このように、入出力端子などをすべて前面に配置することにより、組み込み機器用のコントローラとしてこの情報処理装置１を使用する場合の操作性を向上させている。
【０００７】
次に本実施形態の情報処理装置１の上部カバー２を外したもの１００の外観図を図２に、上部カバー２を外した状態での平面図１００Ａ、背面図１００Ｂ、左側面図１００Ｃ、右側面図１００Ｄ、正面図１００Ｅを図４に示す。図１、２と同じ符号を付したものは、図１、２と同じものであるので、ここでの説明は省略する。
下部カバー２４は、主として、装置１００の前面、底面、背面をカバーしている。両側面は、主として上部カバー２により、カバーされることになる。上部カバーの前面側には、電源スイッチやリセットを動作させるためのスイッチボード３７が設けられている。装置１００の左側面には、装置を支持する支持体２５が取り付けられる。
マザーボード３５およびＤＣ／ＤＣコンバータ２９は、装置の下部カバー２４上に設置される。マザーボード３５が設置される空間と２次記憶としての記憶媒体であるハードディスクドライブ３１やＣＦカード用ボード３２が設置される空間を分離する板金の支持体２８も下部カバー２４上に設置される。なお、支持体２８およびハードディスクドライブの設置方法については後に詳述する。
ＣＦカード用ボード３２には、ＣＦカード用のコネクタ３９が設置されており、ＣＦカードの端子がこのコネクタ３９に装着されることにより、ＣＦカードに対して情報の読み書きを行うことが可能となる。
マザーボード３５には、図示しないＣＰＵおよびそのＣＰＵに取り付けられたＣＰＵで発生する熱を逃がすＣＰＵ用ヒートシンク３０が設けられている。また、マザーボードに電源を供給するためのコネクタ３６や他のコネクタ３８、一次記憶としてのメモリ３３、メモリ止め具４３もマザーボード３５上に設置される。さらに、拡張カードであるＰＣＩ（Peripheral Component Interconnect）カード２６の設置の向きを９０度変換するための拡張スロット変換器としてのライザーカード４２もマザーボード３５上に設置される。
【０００８】
ライザーカード４２は、支持体２８に設置されるライザーブラケットにより、支持体２８に固定される。これにより、ＰＣＩカード２６を装着した場合にも、ライザーカード４２が不安定となることを防止できる。そして、このようにＰＣＩカードをマザーボードと平行に設置することにより、情報記録装置１の厚さを抑えることができ、装置の小型化が図られる。
ＤＣ／ＤＣコンバータ２９には電源コネクタ５から導線により供給される電源を入力するためのコネクタ４１を有する。この導線（ケーブル）は、ライザーカード４２と支持体２８の間を通らしており、これによりケーブルがきれいに収まることとなる。
また、ＤＣ／ＤＣコンバータ２９には、変換された電圧をマザーボード３５に供給するためのコネクタ４４が設けられており、このコネクタ４４からマザーボード上のコネクタ３６にケーブルを通して電源を供給する。このケーブルは、支持体２５のコの字状内を通過するようにすることにより、ＣＰＵ用ヒートシンク３０やメモリ３３などに接触することなく、電気を供給することができる。そして、これによって、ＣＰＵにより発熱した空気が上記通気孔３、２３にケーブルによって阻害されることなく外部に排出されることになる。これは、右側面１Ｄ（１００Ｄ）を底面として情報処理装置１を設置する場合でも同様の効果が得られる。
【０００９】
図５は、支持体２８を説明するための概略図である。左は、装置１に設置した状態で支持体２８を上から見た図、右は横から見た図である。支持体２８には、ハードディスクドライブ３１およびＣＦカード用ボード３２とマザーボード３５を接続するためのケーブルを通す穴２８Ａが形成されている。また、ハードディスクドライブ３１が配置される位置２８ＢとＣＦカードが設置される位置２８Ｄとで段差２８Ｃを設け、ＣＦカード用の空間を狭くするようにしている。これは、ハードディスクドライブ３１に比べてＣＦカードは薄いため、ＣＦカードを支持体２８Ｄに沿わせＣＦカード用コネクタ３９にスムーズにガイドするため、および、ＣＦカード用スロットから異物が混入するのを防止するためである。
ハードディスクドライブは、２．５インチのものを使用し、板金の止め具４５を介して支持体２８に支持される。この止め具４５を図６に示す。止め具には、板金でできた本体部分と、支持体２８に引っ掛けるための爪を有するネジ止め部４５Ａと、自由度を持たせてネジ止めが行えるよう止め部を開放したネジ止め部４５Ｂと、ハードディスクドライブ３１を搭載するとともに下部カバー２４との間隙を調整するための折り返し部４５Ｃおよびハードディスクドライブ３１をネジ止め固定する部分４５Ｄを有する。
図７を使って、この止め具４５を使用してハードディスクドライブを装置１に設置する一つ目の方法を説明する。
ここで使用するハードディスクドライブ３１は２．５インチのＩＤＥ（Integrated Drive Electronics）ケーブルを使用してデータのやり取りを行うタイプのハードディスクドライブである。
まず、ハードディスクドライブ３１をコネクタ３４が装置の前面側になるように止め具４５にネジ止めにより固定する。
次にマザーボード３５からのＩＤＥケーブル４６Ａは、支持体２８に形成された穴２８Ａを通過して、一旦ＣＦカード用ボード３２上のコネクタ３２Ａに接続される。これにより、ＣＦカードに対して読み書きが可能となる。そして、このコネクタ３２Ａから直列にＩＤＥケーブル４６Ｂをハードディスクドライブ３１のコネクタ３４に接続する。
そして、マザーボード３５からのＩＤＥケーブル４６Ａを支持体２８と止め具４５との間に挟むようにして止め具４５を支持体２８に引っ掛け、ネジ止め固定する。
【００１０】
このハードディスクドライブ設置方法には次の利点がある。すなわち、ＩＤＥケーブル４６Ａが板金の支持体２８と止め具４５の間に挟まれることによりＥＭＩ（ElectroMagnetic Interference）、すなわちノイズが抑制される。また、ハードディスクドライブ３１は振動に弱い性質を有するが、ＩＤＥケーブル４６Ａがクッションとして働き、クッション部材を設けることなく振動を抑制できる。さらに、ＩＤＥでは、一旦どこかのコネクタに接続した後、直列に他の機器に接続する場合、データの通信を安定的に行うためにはその距離を短くする必要がある。ここでは、ＣＦカード用ボード３２側にハードディスクドライブ３１のコネクタ３４がくるようにハードディスクドライブ３１を設置するので、コネクタ３２に接続後のＩＤＥケーブル３２の距離を短くでき、ハードディスクドライブ３１からの通信を安定して行うことができる。また、ハードディスクドライブ３１が装置１の側面近くに配置されるので、ハードディスクドライブ３１で発生した熱が板金の下部カバー２４や上部カバー２を介して放熱される。また、ハードディスクドライブ３１の最も薄い面がマザーボード３５の設置面と水平になることにより、装置１の幅を小さくすることができる。さらに、ハードディスクドライブ３１のコネクタ３４をマザーボード３５の設置面と垂直な面に設けたので装置１の高さをハードディスクドライブ３１の幅に抑えることができる。またさらに、支持体２８に対してマザーボード３５と反対にハードディスクドライブ３１を設置するので、ハードディスクドライブ３１の取り替えを容易に行うことができるとともに、ライザーカード４２との接触をさけることができるので装置１の奥行きを小さくできる。
【００１１】
次にシリアルＡＴＡ（AT Attachment）により通信を行うハードディスクドライブ３１の場合について図８を参照して説明を行う。
ハードディスクドライブは、図７で説明を行った例とは反対に、装置１の背面側にコネクタ部がくるように止め具４５にネジ止め固定する。マザーボード３５からのシリアルＡＴＡ用ケーブル４７は、Ｌ字型コネクタ４８を有するものが使用され、このコネクタ４８によりハードディスクドライブ３１に接続される。これにより、マザーボードとハードディスクドライブ３１の通信が可能となる。
次に、マザーボード３５からのＩＤＥケーブル４６Ａは、支持体２８に形成された穴２８Ａを通過して、一旦ＣＦカード用ボード３２上のコネクタ３２Ａに接続される。これにより、ＣＦカードに対して読み書きが可能となる。
そして、マザーボード３５からのＩＤＥケーブル４６Ａを支持体２８と止め具４５との間に挟むようにして止め具４５を支持体２８に引っ掛け、ネジ止め固定する。この取り付け法は、上記と同様にＥＭＩ抑制、振動抑制、上下カバーを介しての放熱、装置１の幅、奥行き、高さを小さく出来る、ハードディスクドライブ３１取り替えの容易化などの効果がある。さらに、支持体２８の穴２８Ａ近傍でハードディスクドライブ３１とシリアルＡＴＡケーブル４７を接続できるので、ケーブルを短くすることができる。
【００１２】
このように本実施の形態によれば、ＣＰＵを搭載するマザーボード３５上に拡張カードであるＰＣＩカードをマザーボード３５と平行に搭載し、かつ、ディスク面が装置１の側面と平行になるようにハードディスクドライブを配置したので、装置１内の無駄なスペースが省かれることとなり情報処理装置１の小型化が図れる。
なお、本実施の形態では、可搬型記録媒体としてＣＦカードを使用する例について説明を行ったが、これに限られず、他の半導体メモリや光ディスク、光磁気ディスクなどであってもよい。さらには、可搬型ハードディスクドライブを備える構成であってもよい。
また、可搬型記録媒体を使用しない場合には、ＣＦカード用ボード３２やコネクタ３９、スロットの蓋４などを設けなくても良い。この場合、ハードディスクドライブ３１の設置場所は、装置１の背面側であってもよい。この場合、側面にＤＣ／ＤＣコンバータ２９を設置することになる。
なお、本実施の形態では、マザーボード３５とハードディスクドライブ３１を分離する支持体２８は、マザーボード３５の設置空間とハードディスクドライブの設置空間とを完全に分離するものについて説明を行った。しかしながら、マザーボード３５とハードディスクドライブ３１を分離する支持体２８は、ハードディスクドライブ３１を支持できるだけの長さを有していればよく、マザーボード３５の設置空間とハードディスクドライブの設置空間とを完全に分離するものでなくてもよい。この場合、可搬型記録媒体を使用するときには、専用に挿入のためのガイドを設ければよい。
【００１３】
なお、本実施の形態では、ハードディスクドライブ３１として、２．５インチのハードディスクドライブを用いて説明を行った。しかしながら、ハードディスクドライブ３１は２．５インチのものに限られず、他のサイズのものであってもよい。２．５インチよりも小さいサイズを使用すれば、装置１の高さを現在の７４ｍｍからさらに低いものとすることが可能である。また、支持体２８に対してマザーボード３５側にハードディスクを設置することも可能である。この場合、下部カバー２４が支持体２８の役割を果たすようにしてもよい。一方、２．５インチよりも大きいものを使用すれば、装置１の高さは現在の７４ｍｍよりも大きくなるが、その分、拡張カードを複数搭載できるようになる。
なお、本実施の形態では、２次記憶装置としてハードディスクドライブ３１について説明を行ったが、これに限られず、２次記憶装置として半導体メモリや光メモリなどを使用してもよいことはいうまでもない。
なお、本実施の形態では、拡張カードとしてＰＣＩカード２６を用いて説明を行った。しかしながら、これに限られないことはいうまでもない。また、複数のＰＣＩカード２６などの拡張カードを装着できるようにしてもよい。この場合、装置１の高さがある程度高いものになってしまう。
なお、本実施の形態では、マザーボード３５上にＰＣＩカード２６が装着されるものについて説明を行ったが、これに限られず、マザーボード３５の下にＰＣＩカード２６を装着するようにしてもよい。要するに、マザーボード３５とＰＣＩカード２６の面が平行になるようにすれば、装置１の高さをある程度低くすることができる。
【図面の簡単な説明】
【００１４】
【図１】本発明の一実施形態の外観図である。
【図２】本発明の一実施形態の平面図、正面図、背面図、左側面図、右側面図である。
【図３】本発明の一実施形態の上部カバーを外した場合の外観図である。
【図４】本発明の一実施形態の上部カバーを外した場合の平面図、正面図、背面図、左側面図、右側面図である。
【図５】本発明の一実施形態で使用される支持体を説明するための図である。
【図６】本発明の一実施形態で使用される止め具を説明するための図である。
【図７】本発明の一実施形態における２次記憶装置（ハードディスクドライブ）を装着する方法を説明するための図である。
【図８】本発明の一実施形態における２次記憶装置（ハードディスクドライブ）を装着する他の方法を説明するための図である。
【符号の説明】
【００１５】
１  情報処理装置、２  上部カバー、３、２３  通気孔、４  ＣＦカード用スロットの蓋、５  電源用コネクタ、６  ＬＩＮＥ  ＯＵＴ端子、７  ＬＩＮＥ  ＩＮ端子、８、９  ＵＳＢ端子、１０、１１  ＬＡＮコネクタ、１２  ＰＣＩスロット、１３、１４、１５  シリアルコネクタ、１６  ディスプレー用アナログＲＢＧ端子、１７  キーボード用端子、１８  マウス用端子、１９  電源スイッチ、２０  リセット用の孔、２１  電源用ＬＥＤ、２２  ハードディスクドライブ用ＬＥＤ、２５  支持体、２６  ＰＣＩカード、２７  ライザーブラケット、２８  支持体、２８Ａ  穴、２８Ｂ  ハードディスクドライブ配置位置、２８Ｃ  段、２８Ｄ  ＣＦカード配置位置、２９  ＤＣ／ＤＣコンバータ、３０  ＣＰＵ用ヒートシンク、３１  ハードディスクドライブ、３２  ＣＦカード用ボード、３３  メモリ、３４  ハードディスクドライブコネクタ、３５  マザーボード、３６、３８、４１、４４  コネクタ、３７  スイッチ用ボード、３９  ＣＦカード用コネクタ、４２  ライザーカード、４３  メモリ止め具、４５  ハードディスクドライブ止め具、４５Ａ、４５Ｂ  ネジ止め部、４５Ｃ  折り返し部、４５Ｄ  ハードディスクドライブ固定部、４６Ａ、４６Ｂ  ＩＤＥケーブル、４７  シリアルＡＴＡケーブル、４８  Ｌ字型コネクタ
【図１】
2006301816.tif 000003
【図２】
2006301816.tif 000004
【図３】
2006301816.tif 000005
【図４】
2006301816.tif 000006
【図５】
2006301816.tif 000007
【図６】
2006301816.tif 000008
【図７】
2006301816.tif 000009
【図８】
2006301816.tif 000010